(57)【要約】【課題】リモコンを備える電気機器を複数使用する場合に、電気機器毎に対応するリモコンを操作しなければならないユーザの操作の手間を軽減する。【解決手段】一のリモートコントローラから送信された制御信号に応じて連動して動作する複数の電気機器を備える電気機器連動コントロールシステムであって、連動して使用される他の電気機器に対応するリモートコントローラから送信される制御信号を受信する受信部と、前記連動して使用される他の電気機器の制御信号を前記連動して使用される他の電気機器に対して送信する送信部と、前記受信部が対応するリモートコントローラの制御信号を受信した場合に、他の電気機器の前記制御信号を前記送信部より送信する制御を行う制御部と、を備える電気機器を少なくとも一つ備えることを特徴とする電気機器連動コントロールシステム。【選択図】図２
2005341468.tif 000002
【特許請求の範囲】
【請求項１】
一のリモートコントローラから送信された制御信号に応じて連動して動作する複数の電気機器を備える電気機器連動コントロールシステムであって、
連動して使用される他の電気機器に対応するリモートコントローラから送信される制御信号を受信する受信部と、
前記連動して使用される他の電気機器の制御信号を前記連動して使用される他の電気機器に対して送信する送信部と、
前記受信部が対応するリモートコントローラの制御信号を受信した場合に、他の電気機器の前記制御信号を前記送信部より送信する制御を行う制御部と、
を備える電気機器を少なくとも一つ備えることを特徴とする電気機器連動コントロールシステム。
【請求項２】
連動して使用される電気機器に対応して用いられるリモートコントローラから送信される制御信号を受信する受信部と、
前記連動して用いられる電気機器の制御信号を送信する送信部と、
前記受信部が一の電気機器に対応するリモートコントローラから送信された制御信号を受信した場合に、前記一の電気機器と連動して使用される他の電気機器の制御信号を前記送信部より送信する制御を行う制御部と、
を備える制御信号中継装置を少なくとも一つ備えることを特徴とする請求項１に記載の電気機器連動コントロールシステム。
【発明の詳細な説明】
【技術分野】
【０００１】
本発明は、電気機器連動コントロールシステムに関する。
【背景技術】
【０００２】
例えば、家庭内でＤＶＤ(Digital Versatile Disk)を再生して鑑賞しようとする場合には、まずＤＶＤ再生装置に電源を入れ、さらにＤＶＤに記憶された映像を写すモニタ装置の電源を入れる必要がある。また、場合によってはＤＶＤの鑑賞に際して映画館と同様の雰囲気で鑑賞を楽しむために部屋の照明装置の電源をＯＦＦにすることもある。
【０００３】
一般にこれらの電気機器には、ユーザが便利に使用できるようにリモートコントロール機能が付加されており、各電気機器にはそれぞれ別個にリモートコントローラ（以下「リモコン」という）が備えられている。また、通常家庭内の他の電気製品にもリモコンが備え付けられているため、ユーザは複数あるリモコンの中から使用したい電気機器に対応するリモコンを選択するという煩雑な作業を行う必要である。
【０００４】
そこで、複数あるリモコンの中から使用する電気機器に対応するリモコンを選択するという煩雑な作業の手間を軽減するため、一台で、複数の家電機器をリモートコントロールすることができる複数電気機器対応リモコンが提案されている（特許文献１参照）。通常、複数の電気機器の操作が可能なリモコンは、対応する機器毎にモードを切り替えて操作を行うものである。上記の例でいえば、複数電気機器対応リモコンをＤＶＤ再生装置に対応したモードとした後にＤＶＤ再生装置の電源ＯＮ信号を送った後に、モニタ装置のモードに切り替えてモニタ装置の電源ＯＮ信号を送信し、さらに照明装置のモードに切り替えて照明装置の電源ＯＦＦを送信することとなる。
【特許文献１】特開平０５−０５６４８６号公報
【発明の開示】
【発明が解決しようとする課題】
【０００５】
このように複数電気機器対応リモコンを用いたとしても、連動して使用され、かつ決まりきった操作をする各電気機器について、結局電器機器毎に複数電気機器対応リモコンを操作する必要があり、ユーザがリモコンを操作する手間は煩雑なものとなっている。
【０００６】
本発明は、リモコンを備える複数の電気機器を連動して使用する場合に、電気機器毎に対応するリモコンを操作しなければならないユーザの操作の手間を軽減することにある。
【課題を解決するための手段】
【０００７】
上記課題を解決するため、請求項１に記載の発明は、一のリモートコントローラから送信された制御信号に応じて連動して動作する複数の電気機器を備える電気機器連動コントロールシステムであって、連動して使用される他の電気機器に対応するリモートコントローラから送信される制御信号を受信する受信部と、前記連動して使用される他の電気機器の制御信号を前記連動して使用される他の電気機器に対して送信する送信部と、前記受信部が対応するリモートコントローラの制御信号を受信した場合に、他の電気機器の前記制御信号を前記送信部より送信する制御を行う制御部と、を備える電気機器を少なくとも一つ備えることを特徴とする。
【０００８】
請求項２に記載の発明は、請求項１に記載の複数電気機器連動コントロールシステムにおいて、連動して使用される電気機器に対応して用いられるリモートコントローラから送信される制御信号を受信する受信部と、前記連動して用いられる電気機器の制御信号を送信する送信部と、前記受信部が一の電気機器に対応するリモートコントローラから送信された制御信号を受信した場合に、前記一の電気機器と連動して使用される他の電気機器の制御信号を前記送信部より送信する制御を行う制御部と、を備える制御信号中継装置を少なくとも一つ備えることを特徴とする。
【発明の効果】
【０００９】
本発明によれば、連動して使用される複数の電気機器にのうちの一の電気機器に対応するリモコンを操作するのみで他の電気機器に対応する制御信号を送信することができ、ユーザが電気機器毎にリモコンの操作をする必要が無くなり、各電気機器を操作するユーザの手間を軽減させることができる。
【００１０】
また、本発明によれば、制御信号中継装置を介することで本来はリモコンから対応する電気機器に直接制御信号を送信できない場所からも制御信号を対応する電気機器に送信することが可能となる。
【発明を実施するための最良の形態】
【００１１】
以下、図１から図８を参照しながら本発明の実施の形態について説明する。ただし、発明の範囲は図示例に限定されない。
[第一の実施形態]
【００１２】
本実施の形態はユーザが照明を消してＤＶＤを鑑賞する場合に関するものである。図１は第一の実施形態における電気機器連動コントロールシステムを構成するＤＶＤ再生装置２に対応するリモートコントローラ（以下「リモコン」という）１、ＤＶＤ再生装置２、モニタ装置３及び照明装置４を表すものであり、図２はそれらの機能的構成を表したものである。
【００１３】
リモコン１は、入力操作部１１、制御部１２、記憶部１３、及び送信部１４を備えて構成されており、各部はバス１５により接続されている。
【００１４】
入力操作部１１は、例えば、ボタンにより構成されており、押下操作されたボタンの押下信号を入力信号として制御部１２に対して出力するようになっている。
【００１５】
また、入力操作部１１は、ＬＣＤ（Light Emitting Diode）とタッチタブレットを重ねて配置することとし、ＬＣＤに操作ボタンを表示し、ユーザがＬＣＤに表示されているボタンを操作するとＬＣＤと重ねて配置されているタッチタブレットにより操作位置が検出され、操作されたボタンに対応する制御信号が記憶部１３から読み出されるものとしてもよい。
【００１６】
制御部１２は、例えばＣＰＵ（Central Processing Unit）等から構成され、記憶部１３のＲＯＭ（Read Only Memory）に格納されている所定のプログラムを読み出してＲＡＭ（Random Access Memory）の作業領域に展開し、当該プログラムに沿って各種処理を実行する。
【００１７】
また、制御部１２は、入力操作部１１からの入力指示に基づいて、記憶部１３に記憶されている対応する電気機器の制御信号を送信部１４より送信を行わせるようになっている。
【００１８】
記憶部１３には、例えばＲＯＭやＲＡＭから構成されており、ＲＯＭには装置を制御するための基本的なプログラムやデータが格納されており、ＲＡＭにはＲＯＭから読み出されたプログラム等が一時的に格納されるようになっている。
【００１９】
送信部１４は、例えば、赤外線ＬＥＤなどにより構成されており、送信部１４は入力操作部１１からの入力指示に基づいて赤外線を変調して送信する。
【００２０】
なお、本発明において制御信号に用いられる信号は赤外線信号に限らず、光信号や超音波信号等であってもよい。
【００２１】
ＤＶＤ再生装置２は、表示部２１、送信部２２、制御部２３、記憶部２４、受信部２５及びＤＶＤ再生部２６を備えて構成されており、各部はバス２７により接続されている。
【００２２】
表示部２１は、例えば、ＣＲＴやＬＣＤ等を備えて構成され、受信部２５により受信された制御信号の指示に従って、各種表示をするようになっている。
送信部２２は、例えば、赤外線ＬＥＤなどにより構成されており、送信部２２は制御部２３が記憶部２４から読み出した電気的信号に基づいて赤外線を変調して送信する。
【００２３】
制御部２３は、例えば、ＣＰＵ等から構成され、記憶部２４のＲＯＭに格納されている所定のプログラムを読み出してＲＡＭの作業領域に展開し、当該プログラムに沿って各種処理を実行する。
【００２４】
また、制御部２３は、受信部２５により受信した制御信号に基づいてＤＶＤ再生部２６にＤＶＤを再生させたり、受信部２５において受信した制御信号に応じて記憶部２４に記憶されている他の電気機器の制御信号を送信部２２より送信を行わせたりするようになっている。
【００２５】
記憶部２４は、例えばＲＯＭ、ＲＡＭ及びＥＥＰＲＯＭから構成されている。
【００２６】
ＲＯＭには装置を制御するための基本的なプログラムやデータが格納されており、ＲＡＭにはＲＯＭから読み出されたプログラム等やリモコンから送信された制御信号が一時的に格納されるようになっている。また、ＥＥＰＲＯＭには、受信部２５により受信されＲＡＭに一時的に記憶された、連動して使用される他の電気機器の制御信号が格納されるようになっている。
【００２７】
受信部２５は、例えばリモートコントローラから送信される赤外線信号を受信するための赤外線フォトダイオードが備えられている。
【００２８】
ＤＶＤ再生部２６は、例えば、ローディング機構によりローディングされたＤＶＤをターンテーブルにのせて回転させるディスクモータ、ＤＶＤからのデータの読み出しと記憶時のディスク加熱を行う光ピックアップ及びその送り機構からなる。
【００２９】
モニタ装置３は、受信部３１、制御部３２、及び画像表示部３３を備えて構成されており、各部はバス３４により接続されている。
【００３０】
受信部３１は、例えばリモートコントローラから送信される赤外線信号を受信するための赤外線フォトダイオードが備えられている。
【００３１】
制御部３２は、受信部３１が受信した制御信号に応じてモニタ装置３の電源をＯＮにしたり、ＯＦＦにしたりする制御を行う。例えば、ＣＰＵ等から構成され、ＲＯＭに格納されている所定のプログラムを読み出してＲＡＭの作業領域に展開し、当該プログラムに沿って各種処理を実行する。
【００３２】
また、制御部３２は、ＤＶＤ再生部２６において再生されたＤＶＤに記憶された画像表示部３３により表示させるようになっている。
【００３３】
画像表示部３３は、例えば、ＣＲＴやＬＣＤ等を備えて構成され、ＤＶＤに記憶されＤＶＤ再生部２６で再生されたＤＶＤに記憶された画像を表示するようになっている。
【００３４】
照明装置４は、照明部４１、制御部４２、及び照明部４３を備えて構成されており、各部はバス４４により接続されている。
【００３５】
照明部４１は、例えばリモコンから送信される赤外線信号を受信するための赤外線フォトダイオードが備えられている。
【００３６】
制御部４２は、例えば、ＣＰＵ等から構成され、ＲＯＭに格納されている所定のプログラムを読み出してＲＡＭの作業領域に展開し、当該プログラムに沿って各種処理を実行する。
【００３７】
照明部４３、例えば、電球や蛍光灯等を備えて構成され、照明部４１により受信された制御信号の指示に従って電球や蛍光灯を点灯又は消灯させるようになっている。
【００３８】
次に、以上の第一の実施の形態の作用を図３及び図４に示すフローチャートを参照して説明する。ここにおいては、まずＤＶＤ再生装置２に制御信号を送信するものとする。
【００３９】
１度のリモコンの操作で全ての電気機器の操作を行うために、ユーザが行うべき操作を図３に示すフローチャートに基づいて説明する。
【００４０】
ＤＶＤ再生装置２の受信部２５に対して、モニタ装置３に対応して用いられるリモコンの入力操作部を操作してモニタ装置３の電源のＯＮ信号を送信する（Ｓ１）。受信部２５で受信された前記電源のＯＮ信号がＤＶＤ再生装置２に対応するリモコン１から送信された信号でないと制御部２３が認識した場合には、その信号を対応する電気信号に変換した上で記憶部２４に備えられたＲＡＭに一時的に記憶し、ＤＶＤ再生装置２に備えられた表示部２１には受信部２５が受信した信号を記憶するか否かを問うメッセージを表示する（Ｓ２）。
【００４１】
記憶を選択しない場合（Ｓ２：ＮＯ）には、モニタ装置３に対応するリモコンにより記憶を回避する信号（以下「記憶回避信号」という）を受信部２５に送信し、受信部２５が記憶回避信号を受信すると、制御部２３は先に受信した記憶部２４備えられたＲＡＭに一時的に記憶された信号を削除する制御を行い、その後処理を終了する。
【００４２】
記憶部２４に記憶することを選択する場合（Ｓ２：ＹＥＳ）には、モニタ装置３に対応するリモコンを操作して受信部２５に記憶選択信号を送信する（Ｓ３）。記憶選択信号を受信部２５が受信すると制御部２３は、記憶部２４に備えられたＲＡＭに一時的に記憶された前記信号をＥＥＰＲＯＭに記憶する制御を行う（Ｓ４）。
【００４３】
なお、表示部２１に表示された記憶するか否かを問うメッセージに対して一定時間内に記憶選択信号をユーザが送信しなかった場合にも同様に削除する制御を行うこととしてもよい。
【００４４】
照明装置４に対応するリモコンから発信される照明装置４の電源のＯＦＦ信号も上記のモニタ装置３の電源のＯＮ信号と同様に処理されるので説明を省略する。
【００４５】
なお、連動して使用される複数の装置のうちのいずれか１つの装置を単独で使用したい場合には、リモコン１から連動送信ＯＦＦ信号をＤＶＤ再生装置２に送信して連動使用モードを解除することとしてもよい。
【００４６】
次に、第一の実施形態における電気機器連動コントロールシステムにおいて実行される処理の一例を図４に示すフローチャートを用いて説明する。
【００４７】
リモコン１の入力操作部１１を操作してＤＶＤ再生装置２の受信部２５に電源ＯＮの信号を送信する（Ｓ１１）。受信部２５が電源ＯＦＦの信号を受信した場合には制御部２３はＤＶＤ再生装置２に電源が入っているか否かの判定を行う（Ｓ１２）。ＤＶＤ再生装置２の電源が入っていない場合（Ｓ１２：ＮＯ）にはＤＶＤ再生装置２の電源を入れる制御を行う（Ｓ２３）。
【００４８】
ＤＶＤ再生装置２の電源を入れる制御を行った場合、及びＤＶＤ再生装置２の電源が入っていた場合（Ｓ１２：ＹＥＳ）には、制御部２３はＤＶＤ再生装置２と連動して使用される他の電気機器の制御信号が記憶されているか否か記憶部２４を検索する（Ｓ１３）。
【００４９】
検索の結果、他の電気機器の制御信号を検出できなかった場合（Ｓ１３：ＮＯ）にはその後処理を終了する。モニタ装置３の電源ＯＮの信号を検出した場合（Ｓ１３：ＹＥＳ）には、制御部２３は記憶部２４に記憶されているそれらの信号を読み出し、送信部２２よりそれらの信号を送信する（Ｓ１４）。
【００５０】
送信部２２から送信されたモニタ装置３の電源ＯＮの信号はモニタ装置３の受信部３１が受信すると制御部３２は、モニタ装置３の電源が入っているか否かの判定を行う（Ｓ１５）。電源が入っていると判定した場合（Ｓ１５：ＹＥＳ）には、制御部３２はその後処理を終了し、電源が入っていないと判定した場合（Ｓ１５：ＮＯ）には電源をＯＮにして画像表示部３３を駆動する制御を行う（Ｓ１６）。
【００５１】
また、照明装置４においてもモニタ装置３と同様の処理が行われ、ＤＶＤ再生装置２から電源ＯＦＦの信号を照明部４１で受信した場合には制御部４２が照明部４３が点灯しているか否かの判定を行い、照明部４３が点灯していると判定した場合には照明部４３を消灯するする制御を行って、照明部４３が消灯していると判定した場合には、その後処理を終了する。
【００５２】
以上のように第一の実施形態に係る発明によれば、ユーザが普段同時に使用する複数の連動して使用する電気機器の定型的な操作を、一の電気機器に対応するリモコンについて操作するだけで連動して使用する他の電気機器の操作を同時に操作することができ、電気機器毎に各電気機器に対応するリモコンを操作するユーザの手間を軽減させることが可能となる。
【００５３】
[第二の実施形態]
【００５４】
次に図５〜図７に基づいて本発明に電気機器連動コントロールシステムの第二の実施形態について説明する。
【００５５】
図５は第一の実施形態における電気機器連動コントロールシステムを構成するＤＶＤ再生装置２に対応するリモートコントローラ（以下「リモコン」という）１、ＤＶＤ再生装置２、モニタ装置３及び照明装置４を表すものであり、図６はそれらの機能的構成を表したものである。
【００５６】
図５及び図６に示すように、第二の実施形態は、照明装置４に対応するリモコン１、ＤＶＤ再生装置２、モニタ装置３、照明装置４及び制御信号中継装置５を備えて構成されている。
【００５７】
ただし、本第二の実施形態は上記第一の実施形態に一つの制御信号中継装置５が加わった点のみが異なり、その他の装置の構成については上記第一の実施の形態と同様である。本第二の実施形態では制御信号中継装置５を中心とした説明を行い、上記第一の実施の形態と同様の構成については説明を省略する。
【００５８】
制御信号中継装置５は図６に示すように、表示部５１、制御部５３、記憶部５４、受信部５５及び送信部５２を備えて構成されており、各部はバス５６により接続されている。
【００５９】
表示部５１は、例えば、ＣＲＴやＬＣＤ等を備えて構成され、受信部５５により受信された制御信号の指示に従って、各種表示をするようになっている。
【００６０】
送信部５２は、例えば、赤外線ＬＥＤなどにより構成されており、送信部５２は制御部５３が記憶部５４から読み出した電気的信号に基づいて赤外線を変調して送信している。
【００６１】
制御部５３は、例えば、ＣＰＵ等から構成され、記憶部５４のＲＯＭに格納されている所定のプログラムを読み出してＲＡＭの作業領域に展開し、当該プログラムに沿って各種処理を実行する。
【００６２】
また、制御部５３は、受信部５５において受信した制御信号に応じて記憶部５４に記憶されている他の電気機器の制御信号を送信部５２より送信を行わせたりするようになっている。
【００６３】
記憶部５４は、例えばＲＯＭ、ＲＡＭ及びＥＥＰＲＯＭから構成されている。
【００６４】
ＲＯＭには装置を制御するための基本的なプログラムやデータが格納されており、ＲＡＭにはＲＯＭから読み出されたプログラム等やリモコンから送信された制御信号が一時的に格納されるようになっている。また、ＥＥＰＲＯＭには、受信部５５により受信されＲＡＭに一時的に記憶された、連動して使用される電気機器の制御信号が格納されるようになっている。
【００６５】
受信部５５は、例えばリモートコントローラから送信される赤外線信号を受信するための赤外線フォトダイオードが備えられている。
【００６６】
次に、以上の第二の実施の形態の作用を図７及び図８に示すフローチャートを参照して説明する。第二の実施形態においては、連動して使用される複数の電気機器のうちの一の電気機器に対応するリモコンから制御信号を制御信号中継装置に送信した後に、制御信号中継装置から各電気機器に対して、制御信号中継装置に記憶されている制御信号を送信するものとする。
【００６７】
また、第二の実施形態においても第一の実施形態と同様に、ユーザが部屋の照明を消してＤＶＤの鑑賞を行う際の操作に関するものとする。
【００６８】
ユーザが部屋の照明を消してＤＶＤの鑑賞を行おうとする際は、ユーザが予め行う操作について図７に示すフローチャートを用いて説明する。
【００６９】
制御信号中継装置５の受信部５５に対して、ＤＶＤ再生装置２に対応して用いられるリモコン１を操作してＤＶＤ再生装置２の電源のＯＮ信号を送信する（Ｓ３１）。受信部５５で受信された前記電源のＯＮ信号が記憶部５４に記憶されていないと制御部５３が認識した場合には、その信号を対応する電気信号に変換した上で記憶部５４に備えられたＲＡＭに一時的に記憶し、表示部５１に受信部５５が受信した信号を記憶するか否かを問うメッセージを表示する（Ｓ３２）。
【００７０】
記憶する選択しない場合（Ｓ３２：ＮＯ）には、リモコン１により記憶を回避する信号（以下「記憶回避信号」という）を受信部５５に送信し、受信部５５が記憶回避信号を受信すると、制御部５３は先に受信した記憶部５４に備えられたＲＡＭに一時的に記憶された信号を削除する制御を行い、その後処理を終了する。
【００７１】
記憶部５４に記憶することを選択する場合（Ｓ３２：ＹＥＳ）には、照明装置４に対応するリモコンを操作して受信部５５に記憶選択信号を送信する（Ｓ３３）。記憶選択信号を受信部５５が受信すると制御部５３は、記憶部５４に備えられたＲＡＭに一時的に記憶された前記信号をＥＥＰＲＯＭに記憶する制御を行う（Ｓ３４）。
【００７２】
なお、ＤＶＤ再生装置２の電源ＯＮ信号及びモニタ装置３の電源ＯＮ信号についても同様な手順により記憶部５４に記憶させる。
【００７３】
また、表示部５１に表示された記憶するか否かを問うメッセージに対して一定時間内に記憶選択信号をユーザが送信しなかった場合にも同様に削除する制御を行うこととしてもよい。
【００７４】
モニタ装置３に対応するリモコンから発信されるモニタ装置の電源をＯＮにする信号及び照明装置４に対応するリモコンから発信される照明装置４の電源をＯＦＦにする信号も同様の手順により処理されるため、これらについての説明は省略する。
【００７５】
次に、第二の実施形態における電気機器連動コントロールシステムにおいて実行される処理の一例を図８に示すフローチャートを用いて説明する。
【００７６】
リモコン１の入力操作部１１を操作して制御信号中継装置５の受信部５５に電源ＯＮの信号を送信する（Ｓ４１）。受信部５５が電源ＯＮの信号を受信すると、制御部５３は受信した照明装置４の電源ＯＦＦの信号と同一の信号が記憶されているか否か記憶部５４を検索する（Ｓ４２）。
【００７７】
検出できなかった場合には、最初に制御信号を記憶部５４に記憶させる場合と同様に表示部５１に受信した信号を記憶するか否かを問うメッセージが表示されるので、これに対して記憶選択信号を受信部５５に送信する（Ｓ４３）。受信部５５で記憶選択信号が受信されると制御部５３は先に受信した電源ＯＮ信号を記憶部５４に備えられたＥＥＰＲＯＭに記憶する制御を行う（Ｓ４４）。
【００７８】
同一の信号を検出した場合には、さらに他の制御信号が記憶されていないか記憶部５４を検索する（Ｓ４５）。他の電気機器の制御信号（モニタ装置３の電源ＯＮ信号及び照明装置の電源ＯＦＦ信号）を検出した場合には、ＤＶＤ再生装置２の電源ＯＮの信号とともに検出した制御信号を送信部５２より送信する（Ｓ４６）。他の電気機器の制御信号を検出しなかった場合には、ＤＶＤ再生装置２の電源ＯＮの信号のみを送信する（Ｓ４７）。
【００７９】
送信後の処理は、第一の実施形態のＤＶＤ再生装置２からモニタ装置３及び照明装置４に対して制御信号が送信された場合と同様の手順で処理されるので送信後の処理についての説明は省略する。
【００８０】
なお、第二の実施形態における上記の処理の一例においては、ＤＶＤ再生装置２に対応するリモコン１から最初に制御信号を送信することとしているが、最初に制御信号を送信するのは、モニタ装置３に対応するリモコン又は照明装置４に対応するリモコンのいずれでもよい。
【００８１】
また、第二の実施形態においては、まず制御信号中継装置５に対してリモコン１から信号を送信することとしているが、必ずしも制御信号中継装置５に最初に送信する必要はない。上記の例でいえば、モニタ装置３及び照明装置４の制御信号を記憶させたＤＶＤ再生装置２に最初にリモコン１から制御信号を送信した後に、ＤＶＤ再生装置２から送信されたモニタ装置３及び照明装置４の制御信号を制御信号中継装置５に送信して、制御信号中継装置５から更にモニタ装置３及び照明装置４に対して制御信号を送信することとしてもよい。
【００８２】
また、複数の制御信号中継装置を中継させた後に電気機器にリモコンから送信された制御信号が電気機器に送信されることとしてもよい。即ち、電気機器連動コントロールシステムを構成する全ての電気機器にリモコンから送信された制御信号が最終的に送信されるのであれば、電気機器及び制御信号中継装置の配置及び数はユーザの自由に委ねられる。
【００８３】
以上のように本発明においては、ユーザが普段同時に使用する複数の連動して使用する電気機器の定型的な操作を、一の電気機器に対応するリモコンについて操作するだけで連動して使用する他の電気機器の操作を同時に操作することができ、電気機器毎に各電気機器に対応するリモコンを操作するユーザの手間を軽減させることが可能となる。
【００８４】
また、制御信号中継装置を配置することでリモコンと対応する電気機器の間に遮蔽物がある場合でも、制御信号を対応する電気機器に送信することができる。
【図面の簡単な説明】
【００８５】
【図１】第一の実施形態を構成する電気機器及びリモコンの概略図である。
【図２】第一の実施形態を構成する電気機器の機能的構成を示すブロック図である。
【図３】ＤＶＤ再生装置の記憶部に他の電気機器の制御信号を記憶させる手順等を示すフローチャートである。
【図４】第一の実施形態における電気機器連動システムにおいて制御信号の伝達により行われる処理を示すフローチャートである。
【図５】第二の実施形態を構成する電気機器及び制御信号中継装置の概略図である。
【図６】第二の実施形態を構成する電気機器及び制御信号中継装置の機能的構成を示すブロック図である。
【図７】制御信号中継装置の記憶部に連動して使用する複数の電気機器の制御信号を記憶させる手順等を示すフローチャートである。
【図８】第二の実施形態における電気機器連動システムにおいて制御信号の伝達により行われる処理を示すフローチャートである。
【符号の説明】
【００８６】
１     リモコン
２     ＤＶＤ再生装置
３     モニタ装置
４     照明装置
５     制御信号中継装置
２１   表示部
２２   送信部
２３   制御部
２４   記憶部
２５   受信部
３１   受信部
３２   制御部
４２   制御部
４３   照明部
５２   送信部
５３   制御部
５４   記憶部
５５   受信部
【図１】
2005341468.tif 000003
【図２】
2005341468.tif 000004
【図３】
2005341468.tif 000005
【図４】
2005341468.tif 000006
【図５】
2005341468.tif 000007
【図６】
2005341468.tif 000008
【図７】
2005341468.tif 000009
【図８】
2005341468.tif 000010